(57)【要約】【課題】ポケットやカバンなどの中で誤動作する危険性が少なく、且つ、簡単な操作で入力無効化状態を解除することのできる携帯通信端末を提供する。【解決手段】操作ボタンを有した第１の端末本体３と、表示部４を有した第２の端末本体５と、これら第１の端末本体３と第２の端末本体５を、水平方向において相対的に回動自在とし、第１の端末本体３の上に第２の端末本体５を重ねた状態と、第１の端末本体３と第２の端末本体５を任意の角度に開いた状態とするヒンジ機構６とを有する。また、第１の端末本体３の上に第２の端末本体５が重ねられて前記操作ボタンの全てが覆われた状態から、第１及び第２の端末本体５を相対的に回転させて前記操作ボタンのうち誤動作防止解除ボタン８を露出させ、当該誤動作防止解除ボタン８を押して誤動作防止状態を解除すると共に携帯通信端末の有する各モードを切り替えるモード切替手段を有する。【選択図】　図４
2004128850.tif 000002
【特許請求の範囲】
【請求項１】
複数の操作ボタンを有した第１の端末本体と、
表示部を有した第２の端末本体と、
前記第１の端末本体と前記第２の端末本体を、水平方向において相対的に回動自在とし、前記第１の端末本体の上に前記第２の端末本体を重ねた状態と、前記第１の端末本体と前記第２の端末本体を任意の角度に開いた状態とするヒンジ機構と、
前記第１の端末本体の上に前記第２の端末本体が重ねられて前記操作ボタンの全てが覆われた状態から、前記第１及び第２の端末本体を相対的に回転させて前記操作ボタンのうち誤動作防止解除ボタンを露出させ、当該誤動作防止解除ボタンを押して誤動作防止状態を解除すると共に携帯通信端末の有する各モードを切り替えるモード切替手段とを備えた
ことを特徴とする携帯通信端末。
【請求項２】
請求項１記載の携帯通信端末であって、
前記誤動作防止解除ボタンは、前記ヒンジ機構とは反対側の前記第１の端末本体の端部近傍に設けられていることを特徴とする携帯通信端末。
【請求項３】
請求項１記載の携帯通信端末であって、
前記誤動作防止解除ボタンを押す回数に応じて前記各モードが切り替わることを特徴とする携帯通信端末。
【請求項４】
請求項１記載の携帯通信端末であって、
前記誤動作防止解除ボタンを押した時間に応じて前記各モードが切り替わることを特徴とする携帯通信端末。
【請求項５】
複数の操作ボタンを有した第１の端末本体と、
表示部を有した第２の端末本体と、
前記第１の端末本体と前記第２の端末本体を、水平方向において相対的に回動自在とし、前記第１の端末本体の上に前記第２の端末本体を重ねた状態と、前記第１の端末本体と前記第２の端末本体を任意の角度に開いた状態とするヒンジ機構と、
前記第１の端末本体と前記第２の端末本体を所定のなす角度に僅かに開いたときに、誤動作防止状態を解除する誤動作防止解除機構を備えた
ことを特徴とする携帯通信端末。
【請求項６】
請求項５記載の携帯通信端末であって、
前記第１の端末本体と前記第２の端末本体は一方向にのみ回転するようになされており、前記一方向とは反対方向に回転して誤動作防止状態を解除することを特徴とする携帯通信端末。
【請求項７】
請求項５記載の携帯通信端末であって、
前記第１の端末本体と前記第２の端末本体が所定のなす角度だけ開いた後、当該第１の端末本体の上に第２の端末本体を重ねた状態に自動的に復帰させる復帰機構を備えたことを特徴とする携帯通信端末。
【請求項８】
複数の操作ボタンを有した第１の端末本体と表示部を有した第２の端末本体が水平方向において一方向にのみ相対的に回動自在とされ、第１の端末本体の上に第２の端末本体が重ねられた状態と、第１の端末本体と第２の端末本体が任意の角度に開いた状態とされる携帯通信端末において、この携帯通信端末への入力を無効とする誤動作防止状態を解除するに際し、
前記一方向とは反対方向に前記第１の端末本体と前記第２の端末本体を、所定のなす角度に僅かに開いて前記誤動作防止状態を解除する
ことを特徴とする携帯通信端末の誤動作防止状態解除方法。
【発明の詳細な説明】
【０００１】
【発明の属する技術分野】
本発明は、携帯通信端末及び携帯通信端末の誤動作防止状態解除方法に関する。
【０００２】
【従来の技術】
近年、携帯電話機に代表される携帯通信端末は、広く普及しており、日常生活の上ではなくてはならない道具の一つになっている。例えば、携帯電話機は、いつでもどこでも電話がかけられるという機能上、持ち歩くことが大前提とされる。それ故、使用者は、携帯電話機を衣服のポケットやカバンの中に入れ、必要に応じて携帯電話機を取り出して使用する。携帯電話機の他に、通信機能を備えたＰＤＡ（Ｐｅｒｓｏｎａｌ　Ｄｉｇｉｔａｌ　Ａｓｓｉｓｔａｎｔ）なども同様の態様で使用される。
【０００３】
このように、常に持ち歩くことを前提とする携帯通信端末では、その筐体表面に設けられたボタンを押したり、表示部と一体になった入力手段であるタッチパッドに触れることで各種の操作を行うものが一般的である。それ故、携帯通信端末をポケットやカバンの中に入れて持ち歩いた場合、誤ってボタンが押されてしまい、使用者の意図しない動作をしてしまう誤動作が問題となる。
【０００４】
これを解決するために、携帯通信端末を持ち運ぶ間は操作ボタンその他の入力手段による入力を無効状態（誤動作防止状態）となるように設定し、いざ使用する際にこの無効化状態を解除する機構を有することが有効である。例えば、この無効化状態を解除する方法としては、無効化解除機能を通常のボタンとは異なるスライドスイッチに割り当てたり、または、無効化状態を解除するために予め設定した順番でボタンを押すような方法が考えられている（例えば、特許文献１参照）。
【０００５】
【特許文献１】
特開２０００−２０３３０号公報（第４頁及び第５頁、第１図、第４図〜第６図）
【０００６】
【発明が解決しようとする課題】
しかしながら、無効化状態を解除するためのスライドスイッチは、もともとポケットやカバンの中で誤動作しないためのものであるため、使用者が無効化状態を解除するために操作する場合にもボタンで操作するよりも操作し難いという問題がある。
【０００７】
また、特許文献１に記載の方法では、一連の操作を正確に行う必要があるため、誤動作の危険性は減るものの無効化状態解除のための操作が面倒で、一連の順序を忘れてしまう危険性もある。
【０００８】
そこで、本発明は、このような課題に鑑みてなされたものであり、ポケットやカバンなどの中で誤動作する危険性が少なく、且つ、簡単な操作でボタン入力などの無効化状態を解除することのできる携帯通信端末及び携帯通信端末の誤動作防止状態解除方法を提供することを目的とする。
【０００９】
【課題を解決するための手段】
本発明の携帯通信端末は、複数の各種操作ボタンを有した第１の端末本体と、表示部を有した第２の端末本体と、この第１の端末本体と第２の端末本体を、水平方向において相対的に回動自在とし、第１の端末本体の上に第２の端末本体を重ねた状態と、第１の端末本体と第２の端末本体を任意の角度に開いた状態とするヒンジ機構とを有している。さらに、この携帯通信端末は、第１の端末本体の上に第２の端末本体が重ねられて操作ボタンの全てが覆われた状態から、第１及び第２の端末本体を相対的に回転させて前記操作ボタンのうち誤動作防止解除ボタンを露出させ、当該誤動作防止解除ボタンを押して誤動作防止状態を解除すると共に携帯通信端末の有する各モードを切り替えるモード切替手段を有している。
【００１０】
本発明の携帯通信端末によれば、通常、全ての操作ボタンは第２の端末本体によって覆われ表面には露出しない状態にあるため、携帯通信端末をポケットやカバンなどの中に入れておいても第１の端末本体に設けられた操作ボタンを誤って操作することはない。また、誤動作防止状態を解除するには、第１の端末本体と第２の端末本体を相対的に回転させて前記操作ボタンのうち誤動作防止解除ボタンを露出させ、この誤動作防止解除ボタンを押すことの簡単な操作で行える。また、この誤動作防止解除ボタンを押した回数又は押した時間に応じて携帯通信端末の有する各モードを切り替えることができるので、携帯通信端末を閉じた状態のままでも通話やメール（電子メール）作成などのモードに移行できる。
【００１１】
また、本発明の携帯通信端末は、操作ボタンを有した第１の端末本体と、表示部を有した第２の端末本体と、この第１の端末本体と第２の端末本体を、水平方向において相対的に回動自在とし、第１の端末本体の上に第２の端末本体を重ねた状態と、第１の端末本体と第２の端末本体を任意の角度に開いた状態とするヒンジ機構を有している。さらに、この携帯通信端末は、第１の端末本体と第２の端末本体を所定のなす角度に僅かに開いたときに、誤動作防止状態を解除する誤動作防止解除機構を備えている。
【００１２】
本発明の携帯通信端末によれば、第１の端末本体と第２の端末本体を所定のなす角度に僅かに開いたときに誤動作防止状態が解除されるので、使用者は簡単な操作で誤動作防止状態を解除することができる。
【００１３】
本発明の携帯通信端末の誤動作防止状態解除方法は、複数の操作ボタンを有した第１の端末本体と表示部を有した第２の端末本体が水平方向において一方向にのみ相対的に回動自在とされ、第１の端末本体の上に第２の端末本体が重ねられた状態と、第１の端末本体と第２の端末本体が任意の角度に開いた状態とされる携帯通信端末において、この携帯通信端末への入力を無効とする誤動作防止状態を解除するに際し、前記一方向とは反対方向に第１の端末本体と第２の端末本体を所定のなす角度に僅かに開いて誤動作防止状態を解除する。
【００１４】
本発明の方法によれば、第１の端末本体と第２の端末本体を所定のなす角度に僅かに開くだけで誤動作防止状態が解除されるので、操作し難いスライドスイッチや一連のボタン操作の順序を覚える必要がなく、簡単な操作で誤動作防止状態が解除できる。
【００１５】
【発明の実施の形態】
以下、本発明を適用した具体的な実施の形態について、図面を参照しながら詳細に説明する。本実施の形態は、２つの端末本体を水平方向において相対的に回動自在とした折畳み式の携帯電話機に本発明を適用したものである。
【００１６】
［携帯電話機の構成］
本実施の形態の携帯電話機１は、図１から図４に示すように、複数の操作ボタン２を有した第１の端末本体３と、表示部４を有した第２の端末本体５と、これら第１の端末本体３と第２の端末本体５の一端側同士を回転自在に連結するヒンジ機構６とを有している。そして、この携帯電話機１は、第１の端末本体３と第２の端末本体５を、水平方向（面内方向）において相対的に回動自在とし、前記第１の端末本体３の上に第２の端末本体５を重ねて閉じた状態（図１の状態）と、第１の端末本体３と第２の端末本体５を所定角度（約１８０度）に開いた状態（図２の状態）とする、折畳み式の携帯電話機である。
【００１７】
［第１の端末本体］
第１の端末本体３は、図２及び図３に示すように、第２の端末本体５と重なり合う側の筐体表面３ａに、複数の操作ボタン２とマイク７と誤動作防止解除ボタン８とを有している。操作ボタン２は、発信操作、着信操作、またはメール（電子メール）を作成したりする際に使用される携帯電話機１への入力を行うための入力ボタン（入力手段）である。これら複数の操作ボタン２のうち何れかのボタンには、この携帯電話機１を図１に示す閉じた状態でポケットやカバンの中に入れたときに誤動作が生じないように、入力を無効化状態とする機能が割り当てられている。なお、前記操作ボタン２は、第１の端末本体３の筐体表面３ａだけでなく側面に設けられていてもよい。
【００１８】
誤動作防止解除ボタン８は、携帯電話機１への入力を無効とする動作状態を解除するためのボタンである。この誤動作防止解除ボタン８は、図４に示すように、ヒンジ機構６とは反対側のコーナー部分である端部近傍に設けられている。かかる誤動作防止解除ボタン８は、第１の端末本体３と第２の端末本体５を相対的に回転させて僅かに開いたときにコーナー部分の隅に現れるように配置されている。また、この誤動作防止解除ボタン８は、第１の端末本体３と第２の端末本体５を図４に示す如く僅かに開いたときに、これら第１の端末本体３と第２の端末本体５のなす角度θが鋭角である三角形状の領域９（斜線で表示する領域）と相似である三角形状とされている。
【００１９】
このため、第１の端末本体３と第２の端末本体５を相対的に僅かに回転させたときに露出する筐体表面３ａの領域９に前記誤動作防止解除ボタン８を最も効率良く配置することができるので、同じ角度だけ開いた場合には相似形状でないボタン（例えば、楕円形状のボタン）に比べて面積の大きいボタンを実装することができる。この結果、誤動作防止解除ボタン８を操作し易い大きさとすることができると共に、誤動作防止解除ボタン８を少ない回転角度で露出させることができ、当該誤動作防止解除ボタン８を押すための操作性を向上させることができる。
【００２０】
マイク７は、図２に示すように、後述するヒンジ機構６の近傍部に設けられており、第１の端末本体３と第２の端末本体５を約１８０度に開いたときに筐体表面３ａに露出する。この携帯電話機１では、第１の端末本体３の上に第２の端末本体５を重ねて閉じた状態と、第１の端末本体３と第２の端末本体５を約１８０度に開いた状態の何れの状態でも通話を行うことができるようにするために、マイク７を前記した位置に設けている。
【００２１】
［第２の端末本体］
第２の端末本体５は、図１から図４に示すように、第１の端末本体３と重なる面とは反対側の表面５ａに表示部（例えば液晶表示部）４を有している。この表示部４は、携帯電話機１を閉じた状態と開いた状態の何れの状態でも常に見えるように配置されている。したがって、この携帯電話機１では、閉じた状態でも着信したメールの内容やアドレス帳など開いて見ることができる。
【００２２】
また、第２の端末本体５には、ヒンジ機構６とは反対側の端部にレシーバ１０を有している。さらに、この第２の端末本体５には、例えば閉じた状態でメールの内容を見たり或いは電話帳を検索したりする際に利用されるジョグダイアル１１が設けられている。もちろん、ジョグダイアル１１は、携帯電話機１を閉じた状態だけではなく開いた状態でも使用することが可能である。
【００２３】
そして、第２の端末本体５は、ヒンジ機構６を中心として前記第１の端末本体３に対して水平方向（面内方向）において回転するようになっている。例えば、第１の端末本体３と第２の端末本体５は、同一面内において図１に示す重なって閉じた状態と、図２に示すこれら端末本体同士のなす角度が約１８０度に開いた状態とされる。また、この携帯電話機１では、基本的には第１の端末本体３と第２の端末本体５は図２中矢印Ｘ１で示す方向にのみ約０度から１８０度の間で回転すると共に、この回転方向とは反対の図４中矢印Ｘ２方向に僅かに回転するようになっている。
【００２４】
［ヒンジ機構］
ヒンジ機構６は、図５及び図６に示すように、第１の端末本体３に固定される第１の回転支持部材１２と、第２の端末本体５に固定される第２の回転支持部材１３と、これら第１の回転支持部材１２と第２の回転支持部材１３の間に介在される弾性部材としてのコイルバネ１４とからなる。
【００２５】
第１の回転支持部材１２は、コイルバネ１４をその外周面でガイドする円筒形状のバネガイド部１５と、このバネガイド部１５の下端に一体的に形成されたフランジ部１６と、後述する第２の回転支持部材１３の一部分を嵌合させる回転中心孔１７とを有している。
【００２６】
前記バネガイド部１５の上端面には、第２の回転支持部材１３に形成された位置決め突起を嵌合させるための位置決め凹部１８が所定位置に複数形成されている。また、前記フランジ部１６には、第１の回転支持部材１２を前記第１の端末本体３に固定するための一対の取付片１９が一体化されている。この取付片１９には、ネジによってこの第１の回転支持部材１２を前記第１の端末本体３に固定するためのネジ孔２０が形成されている。
【００２７】
また、前記フランジ部１６には、図８に示すように、後述するコイルバネ１４の一端部を固定するための貫通孔２１と引掛け溝２２が形成されている。貫通孔２１は、外周縁からやや中心寄りの位置に当該フランジ部１６の厚み方向に貫通して形成されている。引掛け溝２２は、貫通孔２１と連通するように前記フランジ部１６の裏面（コイルバネ１４を装着させる面とは反対側の面）に形成されている。
【００２８】
第２の回転支持部材１３は、図６及び図７に示すように、前記第１の回転支持部材１２に形成された回転中心孔１７に嵌合する嵌合凸部２３と、この嵌合凸部２３の上端に一体化されたフランジ部２４とを有している。
【００２９】
嵌合凸部２３は、前記回転中心孔１７に嵌合して前記第１の回転支持部材１２に対する回転軸として機能する。この嵌合凸部２３の先端は、前記回転中心孔１７と嵌合する際に嵌り易くするためにＲ面形状とされている。また、この嵌合凸部２３の中心には、第１の端末本体３の内部に設けられた電子部品と第２の端末本体５の内部に設けられた電子部品とを電気的に接続するためのケーブル２５を挿通させるケーブル挿通孔２６が形成されている。
【００３０】
フランジ部２４には、図５及び図６に示すように、コイルバネ１４の他端部を臨ませるための円弧状溝２７が形成されている。この円弧状溝２７は、フランジ部２４の上下方向に貫通し、例えば中心角で約１８０度の範囲に亘って形成されている。また、この円弧状溝２７の内部には、コイルバネ１４の他端部をガイドするガイド部２８が形成されている。このガイド部２８は、前記円弧状溝２７の一端から他端に亘って連続した段差面として形成されており、当該円弧状溝２７内に突出している。この円弧状溝２７とガイド部２８とによって形成された空間２９に、後述するコイルバネ１４の他端部が臨むようになっている。
【００３１】
また、フランジ部２４には、図７及び図８に示すように、第１の端末本体３と第２の端末本体５が閉じた状態と開いた状態（開いた状態は、第１の端末本体３と第２の端末本体５のなす角度を約１８０度とした状態又は任意のなす角度とした状態）を保持（ロック）させるための位置決め突起３０が形成されている。この位置決め突起３０は、第１の回転支持部材１２に形成されたそれぞれの位置決め凹部１８と対応した位置に形成されており、前記位置決め凹部１８に嵌合することで前記第１の端末本体３と前記第２の端末本体５との位置関係を保持（ロック）する。
【００３２】
また、フランジ部２４には、第２の回転支持部材１３を第２の端末本体５に固定するための一対の取付片３１が一体化されている。この取付片３１には、ネジによってこの第２の回転支持部材１３を前記第２の端末本体５に固定するためのネジ孔３２が形成されている。
【００３３】
コイルバネ１４は、図６に示すように、前記バネガイド部１５の外径より一回り大きな径に巻回されたコイル部３３と、このコイル部３３の一端と他端にそれぞれ形成された作用部３４、３５とを有している。コイル部３３は、例えば一回りと１／４巻き分だけ巻回されており、前記バネガイド部１５の外周囲に装着される。作用部３４、３５は、コイル部３３に対して下方又は上方に折り曲げられて形成され、さらにその先端が外側へ向くように折り曲げられることによりその先端に折曲部３４ａ、３５ａを有している。
【００３４】
一方の作用部３４は、図８に示すように、第１の回転支持部材１２に形成された貫通孔２１に挿入され、その先端の折曲部３４ａを前記した引掛け溝２２に係止させている。これにより、コイルバネ１４の一端が第１の回転支持部材１２に固定される。他方の作用部３５は、図７に示すように、第２の回転支持部材１３に形成された円弧状溝２７に挿入され、その先端の折曲部３５ａを前記したガイド部２８の上に載せている。このため、第１の回転支持部材１２と第２の回転支持部材１３は、コイルバネ１４によって互いに密着する方向に力がかかり、その嵌合状態を維持して離脱しないようになっている。
【００３５】
このように構成されたヒンジ機構６によれば、図１の閉じた状態（第１の端末本体３と第２の端末本体５のなす角度が０度の状態）から図２の開いた状態（第１の端末本体３と第２の端末本体５のなす角度が１８０度の状態）の間は、他方の作用部３５及び折曲部３５ａが円弧状溝２８内を移動するため、コイルバネ１４に何ら負荷が掛かることなく前記第１の端末本体３と第２の端末本体５とがスムーズに相対的に回転することになる。
【００３６】
また、携帯電話機１が閉じた状態と開いた状態では、図９に示すように、第１の回転支持部材１２に形成された位置決め凹部１８に第２の回転支持部材１３に形成された位置決め突起３０が嵌合してそれぞれの状態がロックされる。図示は省略するが、携帯電話機１が開いた状態も同様に位置決め凹部１８に位置決め突起３０が嵌合する。
【００３７】
携帯電話機１が閉じた状態では、図９に示すように、円弧状溝２７内に挿入された他方の作用部３５の先端に形成された折曲部３５ａが当該円弧状溝２７の一端部２７ａに接触若しくは接触に近い状態となる。この状態から図１０中矢印Ｘ２で示す方向に第１の端末本体３と第２の端末本体５を相対的に回転させると、前記折曲部３５ａが前記円弧状溝２７の一端部２７ａに押されてコイルバネ１４に負荷が掛かる。そして、第２の端末本体５の下に隠れていた誤動作防止解除ボタン８が図４に示すように露出したところで、前記位置決め突起３０が位置決め凹部１８に嵌合して当該誤動作防止解除ボタン８を露出させた状態を保持する。
【００３８】
この誤動作防止解除ボタン８が露出した状態から第１の端末本体３の上に第２の端末本体５が重なって閉じた状態とするには、前記位置決め突起３０と前記位置決め凹部１８との嵌合状態を解除させることで、コイルバネ１４の弾性により第２の端末本体５が回転して自動的に閉じた状態に復帰する。つまり、このヒンジ機構６には、携帯電話機１を自動的に元の位置に復帰させる復帰機構が設けられている。
【００３９】
［携帯電話機の使用形態］
上記のように構成された携帯電話機１は、図１の閉じた状態と図２の開いた状態の何れの状態でも発信操作、着信操作及び通話、メール又は電話帳の閲覧などの動作を行うことができる。この実施の形態の携帯電話機１は、携帯電話機１を閉じた状態又は開いた状態の何れの状態でも使用可能であるが、ポケットやカバンなどに収納して携帯電話機１を持ち運ぶときには閉じた状態とする。
【００４０】
携帯電話機１をポケットやカバンに入れて持ち運ぶときには、不用意に操作ボタン２を押して誤動作を生じさせないようにするために、任意の操作ボタン２に割り当てられたボタンを押して入力を拒否する誤動作防止状態に携帯電話機１を設定する。本実施の形態の携帯電話機１では、第２の端末本体５によって第１の端末本体３の筐表面３ａに設けられた全ての操作ボタン２が覆い隠されるため、ポケットやカバンなどの中に入れて持ち運んでも誤って操作ボタン２を押すことはない。
【００４１】
このように、本実施の形態の携帯電話機１では、携帯電話機１を閉じた状態で誤動作防止状態を解除するための誤動作防止解除ボタン８を押すことができないため、使用者の予期しない誤動作が生じる危険性は極めて少ない。また、誤動作防止状態を解除するには、通常の開閉方向とは反対方向に携帯電話機１を僅かに開いて誤動作防止解除ボタン８を露出させ、その露出した誤動作防止解除ボタン８を押す。
【００４２】
本実施の形態の携帯電話機１では、携帯電話機１を僅かに開いて誤動作防止解除ボタン８を押すだけの簡単な操作で良いため、従来のような操作し難いスライドスイッチや一連のボタン操作の順序を覚える必要はなく便利である。また、ヒンジ部を介して二つの筐体を重ね合わせて二つ折りに折り畳む一般的な折り畳み式の携帯電話機でも、本実施の形態の誤動作防止解除ボタン８と同機能のボタンを設けることはできるが、当該誤動作防止解除ボタン８を押すためには筐体を全開する必要があるため、解除のための操作性は悪くなってしまう。本実施の形態の携帯電話機１では、誤動作防止解除ボタン８をヒンジ機構６とは反対側の第１の端末本体３のコーナー部分に設けているため、僅かに開いて誤動作防止解除ボタン８を押すだけで簡単に誤動作防止状態を解除することができる。
【００４３】
［モード切替操作］
また、この実施の形態の携帯電話機１は、誤動作防止解除ボタン８を押すことによって誤動作防止状態を解除するだけでなく、その押した回数又は押した時間に応じて携帯電話機１の有するモードが切り替わる設定とされている。すなわち、本実施の形態の携帯電話機１は、誤動作防止解除ボタン８を押して誤動作防止状態を解除すると共に携帯電話機１の有する各モードを切り替えるモード切替手段を有している。
【００４４】
この携帯電話機１は、図１１に示すように、第１の端末本体３と第２の端末本体５を通常の開閉方向とは反対方向へ回転させたときに当該第１の端末本体３と第２の端末本体５のなす角度θ（図４参照）が予め決められた設定角度以上か否かを検出する角度検出手段３６と、誤動作防止解除ボタン８の押下げ回数をカウントするボタン押下げ回数検出手段３７と、その押下げ回数に応じて各モードに切り替えるモード切替手段３８と、所定のプログラムに基づいて動作する制御部３９とを有している。また、この携帯電話機１は、通常の例えば高周波送受信を行う無線部４０と、例えばデジタル音声信号のエンコード及びデジタル音声信号へのデコードを行うデータ処理部４１も有している。
【００４５】
図１２に示すフローチャートを参照しながらモード切替動作を以下に説明する。図１２に示すモード切替工程は、誤動作防止解除ボタン８を露出させる方向に携帯電話機１を開くことによってスタートする。誤動作防止解除ボタン８を露出させる方向に携帯電話機１を開くと、角度検出手段３６は、ステップＳ１の処理において第１の端末本体３と第２の端末本体５のなす角度（回転角度）を検出し、そのなす角度θが設定角度以上であるか否かを判断する。ここで言う設定角度とは、例えば誤動作防止解除ボタン８を押すことのできる程度に当該誤動作防止解除ボタン８が現れた状態のときの角度をいう。
【００４６】
制御部３９は、ステップＳ１の処理において前記回転角度が前記設定角度以上の場合には、このモード切替工程をステップＳ２の処理に進め、前記回転角度が設定角度よりも小さい場合にはステップＳ３の処理に進める。ステップＳ３の処理では、制御部３９は設定された誤動作防止状態（キー無効化状態）を維持する。ステップＳ２の処理では、制御部３９は音声通話着信中か否かを判断し、着信中であればこのモード切替工程をステップＳ４の処理に進め、そうでなければステップＳ５の処理に進める。
【００４７】
ステップＳ４の処理では、制御部３９は通常の通話モードに移行させる。ステップＳ５の処理では、制御部３９はメール着信中かまたは新規メール有りか（未開封のメールが有りか）否かを検出する。メール着信中または新規メール有りの場合は、制御部３９はこのモード切替工程をステップＳ６の処理に進め、新規にメールを作成する画面を表示部４に表示する。メール着信中ではなく、または新規メールが無ければ、制御部３９はこのモード切替工程をステップＳ７の処理に進める。
【００４８】
ステップＳ７の処理では、ボタン押下げ回数検出手段３７が前記誤動作防止解除ボタン８を押した回数をカウントする。次のステップＳ８の処理では、制御部３９は、カウントした押下げ回数が１回であるか、または、それ以上であるかを判断する。このステップＳ８の処理における判断基準は、「Ｎ　ｍｏｄ　２＝１」と表現する。Ｎは、誤動作防止解除ボタン８を押した回数を表し、ｍｏｄは、割り算したときの余りを表す。
【００４９】
例えば、誤動作防止解除ボタン８を押すことで選択できるモード（一例を挙げると、カメラ撮影モードと保存画像データの閲覧モード）の数が２つであると仮定して説明する。この前提の条件の下で、例えば、「３　ｍｏｄ　２」は１となる。これは、３を２で割ると余りが１ということを意味するが、３回ボタンを押すと１回ボタンを押した場合と同じことになる。一方、誤動作防止解除ボタン８を４回を押した場合は、２回ボタンを押したことと同じになる。これは、選択肢の数（モードの数）より多くの回数分だけボタンを押した場合でも無効とするのではなく、選択肢の最初に戻るようにしている。
【００５０】
具体的な例を挙げると、携帯電話機１のテンキーの数字「２」が刻印されたキーには、英字の「Ａ」と「Ｂ」と「Ｃ」のアルファベットが割り当てられており、アルファベットを入力する際にボタン「２」を１回押すと「Ａ」、２回押すと「Ｂ」、３回押すと「Ｃ」を入力することができる。さらに、ボタン「２」を４回押すと「Ａ」、５回押すと「Ｂ」を入力することができる。これは、押した回数Ｎに対し、「Ｎ　ｍｏｄ　３」が１なら「Ａ」、２なら「Ｂ」、３なら「Ｃ」が選択されるようにして選択肢より多くの回数ボタンが押された場合でも無効にならないようにしている。
【００５１】
このステップＳ８の処理において、制御部３９は「Ｎ　ｍｏｄ　２＝１」であれば、このモード切替工程をステップＳ９の処理に進める。ステップＳ９の処理では、制御部３９はキー無効化状態を解除する。これによって、誤動作防止状態にあった携帯電話機１は、操作ボタン２などからの入力が行える状態になる。誤動作防止状態が解除されると、次のステップＳ１０の処理でモード切替手段３８が、その押された回数に応じたモードに移行させる。例えば、この例では、モード切替手段３８は、内蔵カメラを起動させカメラモードに移行させ、表示部４にカメラモジュールに映し出された被写体を表示する。
【００５２】
また、ステップＳ８の処理において、制御部３９は「Ｎ　ｍｏｄ　２＝１」でない場合には、このモード切替工程をステップＳ１１の処理に進める。ステップＳ１１の処理では、制御部３９は「Ｎ＞１且つ、Ｎ　ｍｏｄ　２＝０」か否かの判断をする。この判断基準では、誤動作防止解除ボタン８を何も押さないと、「Ｎ　ｍｏｄ　２＝０」が０（零）となってしまうので、それを避けるためにＮ＞１という条件を加えている。
【００５３】
ステップＳ１１の処理で、誤動作防止解除ボタン８を押した回数が「Ｎ＞１且つ、Ｎ　ｍｏｄ　２＝０」を満たすと、このモード切替工程はステップＳ１２の処理に進む。ステップＳ１２の処理では、制御部３９はキー無効化状態を解除する。次に、制御部３９は、このモード切替工程をステップＳ１３の処理に進め、このステップＳ１３の処理でモード切替手段３８が保存画像データをサムネイル表示する。一方、「Ｎ＞１且つ、Ｎ　ｍｏｄ　２＝０」を満たさない場合には、制御部３９はこのモード切替工程を終了する。
［他の実施の形態１］
以上、本発明を適用した具体的な実施の形態について説明したが、本発明は上述の実施の形態に制限されることなく種々の変更が可能である。例えば、上述の実施の形態では、誤動作防止解除ボタン８を押すことによって誤動作防止状態を解除した後、その誤動作防止解除ボタン８を押下げた回数に応じて携帯電話機１の有する各モードを切り替えるようにしたが、誤動作防止解除ボタン８を押す時間の長さに応じて各モードを切り替えるようにしてもよい。
【００５４】
図１３は、誤動作防止解除ボタン８を押すことにより誤動作防止状態を解除し、且つその押下げ時間に応じて各モードを切り替えるモード切替工程のフローチャートである。この図１３に示すモード切替工程は、誤動作防止解除ボタン８を露出させる方向に携帯電話機１を開くことによってスタートする。誤動作防止解除ボタン８を露出させる方向に携帯電話機１を開くと、角度検出手段３６は、ステップＳ１４の処理において第１の端末本体３と第２の端末本体５のなす角度を検出し、そのなす角度θが所定角度以上であるか否かを判断する。
【００５５】
制御部３９は、ステップＳ１４の処理において前記回転角度が設定角度以上の場合には、このモード切替工程をステップＳ１６の処理に進め、前記回転角度が設定角度よりも小さい場合にはステップＳ１５の処理に進める。ステップＳ１５の処理では、制御部３９は設定された誤動作防止状態（キー無効化状態）を維持する。ステップＳ１６の処理では、制御部３９は音声通話着信中か否かを判断し、着信中であればこのモード切替工程をステップＳ１７の処理に進め、そうでなければステップＳ１８の処理に進める。
【００５６】
ステップＳ１７の処理では、制御部３９は通常の通話モードに移行させる。ステップＳ１８の処理では、制御部３９はメール着信中かまたは新規メール有りか（未開封のメール有りか）否かを検出する。メール着信中または新規メール有りの場合は、制御部３９はこのモード切替工程をステップＳ１９の処理に進め、新規メールを作成する画面を表示部４に表示する。メール着信中ではなく、または新規メールが無ければ、制御部３９はこのモード切替工程をステップＳ２０の処理に進める。
【００５７】
ステップＳ２０の処理では、図１１のブロック図には図示を省略するがボタンの押下げ時間をカウントする手段であるタイマが前記誤動作防止解除ボタン８の押下げ時間を測定する。その後、制御部３９は、このモード切替工程をステップＳ２１の処理に進める。ステップＳ２１の処理では、制御部３９は前記ボタン押下げ時間が所定時間よりも長いか否かを判断し、長い場合にはこのモード切替工程をステップＳ２２の処理に進め、短い場合にはモード切替工程をステップＳ２３の処理に進める。
【００５８】
ステップＳ２２の処理では、制御部３９が誤動作防止状態（キー無効化状態）を解除し、携帯電話機１への入力を可能な状態とする。誤動作防止状態が解除されると、次のステップＳ２４の処理でモード切替手段３８は、ボタン押下げ時間に応じて予め決められたモードに移行させる。例えば、この例では、モード切替手段３８は、新規メール作成モードに移行させ、表示部４に新規メール作成画面を表示する。
【００５９】
一方、ステップＳ２３の処理では、制御部３９が誤動作防止状態を解除する。そして、制御部３９は、このモード切替工程を次のステップＳ２５の処理に進める。ステップＳ２５の処理では、モード切替手段３８がボタン押下げ時間に応じて予め決められたモードに移行させる。この例では、モード切替手段３８は、発信モードに移行させ、表示部４に発信先選択画面を表示する。
【００６０】
なお、この実施の形態では、誤動作防止解除ボタン８を押す時間に応じてモードを切り替えることとしたが、先の誤動作防止解除ボタン８を押す回数に応じてモードを切り替えることと、誤動作防止解除ボタン８を押す時間に応じてモードを切り替えることを組み合わせてもよい。例えば、誤動作防止解除ボタン８を押す時間が設定時間よりも短いときにボタンが押されたときにはその押した回数に応じてモードを切り替え、ボタン押し時間が長いときには回数ではなく長押し時間に応じてモードを切り替えるようにしてもよい。
【００６１】
［他の実施の形態２］
上述の実施の形態では、誤動作防止解除ボタン８を押して誤動作防止状態を解除したが、この実施の形態では、ボタンを押して誤動作防止状態を解除するのではなく、第１の端末本体３と第２の端末本体５を所定のなす角度に僅かに開いたときに、誤動作防止状態を解除するようにしてもよい。以下、この例の携帯電話機１について説明する。
【００６２】
本実施の形態の携帯電話機１は、図１４及び図１５に示すように、誤動作防止解除ボタン８が無い他は図１及び図２に示した携帯電話機１とほぼ同じであるが、第１の端末本体３と第２の端末本体５は一方向にのみ回転するようになされており、前記一方向とは反対方向に僅かに回転して誤動作防止状態を解除する。
【００６３】
具体的には、この実施の形態の携帯電話機１は、図１４に示すように、第１の端末本体３と第２の端末本体５は、基本的には同図中矢印Ｘ１で示す右回りに回転し、誤動作防止解除操作をするときに僅かに反対方向に回転する。反対方向への回転は、第１の端末本体３の上に第２の端末本体５が重なって閉じた状態から、前記一方向とは反対方向（図１５に示すＸ２方向）に僅かに回転するようになっている。
【００６４】
この第１の端末本体３と第２の端末本体５が僅かに回転した状態となると、携帯電話機１は、誤動作防止解除ボタン８を押したときと同じように、誤動作防止状態が解除されて入力が可能な状態になる。すなわち、第１の端末本体３と第２の端末本体５のなす角度θが予め決められた設定角度になったときに初めて、誤動作防止状態が解除される。この設定角度よりも小さな角度のときには、誤動作防止状態はそのまま維持される。
【００６５】
そして、この実施の形態の携帯電話機１では、第１の端末本体３と第２の端末本体５を前記一方向とは反対方向に回転させようとすると、コイルバネ１４の付勢力によって第２の端末本体５は押し戻され、第２の端末本体５は自動的に第１の端末本体３の上に重なって閉じた状態に復帰させられる。
【００６６】
次に、この実施の形態の携帯電話機１の誤動作防止解除操作について説明する。図１６に示すモード切替工程は、第１の端末本体３と第２の端末本体５を図１５中矢印Ｘ２方向に回転させることによってスタートする。角度検出手段３６は、第１の端末本体３と第２の端末本体５のなす角度（回転角度）θを検出する。制御部３９は、ステップＳ２６の処理において前記回転角度が設定角度以上の場合は、このモード切替工程をステップＳ２７の処理に進め、前記回転角度が設定角度よりも小さい場合にはステップＳ２８の処理に進める。
【００６７】
ステップＳ２８の処理では、制御部３９は設定された誤動作防止状態（キー無効化状態）を維持する。ステップＳ２７の処理では、制御部３９は音声通話着信中か否かを判断し、着信中であればこのモード切替工程をステップＳ２９の処理に進め、そうでなければステップＳ３０の処理に進める。ステップＳ２９の処理では、制御部３９は通常の通話モードに移行させる。ステップＳ３０の処理では、制御部３９はメール着信中かまたは新規メール有りか（未開封のメール有りか）否かを検出する。メール着信中または新規メール有りの場合は、制御部３９はこのモード切替工程をステップＳ３１の処理に進め、新規メールを作成する画面を表示部４に表示する。メール着信中でなく、または新規メールが無ければ、制御部３９はこのモード切替工程をステップＳ３２の処理に進める。
【００６８】
ステップＳ３２の処理では、前記回転角度が設定角度よりも大となる回数をカウントするカウント手段によってその回数をカウントする。次に、ステップＳ３３の処理では、制御部３９は誤動作防止状態を解除して入力可能な状態にした後、モード切替手段３８はカウントした回数に応じて各モードに切り替える。例えば、モード切替手段３８は、カウント値が１であるときには、新規メール作成モードに切り替え、新規にメールを作成する画面を表示部４に表示する。また、モード切替手段３８は、カウント値が２であるときには、発信モードに移行させ、表示部４に発信先選択画面を表示する。
【００６９】
この実施の形態の携帯電話機１では、誤動作防止状態を解除するための専用のボタンを押す必要がなく、単に携帯電話機１を通常の開閉方向とは逆方向にいわゆるシャープペンシルのノックボタンを押すような感覚で第２の端末本体５を押すことで誤動作防止状態を解除することができる。また、この携帯電話機１では、そのカウント数に応じて各モードに切り替えることができ、誤動作防止状態を解除した次の動作に直ぐに移行できる。
【００７０】
なお、上述の実施の形態では、携帯電話機１を例に挙げて説明したが、音声通信機能を持つＰＤＡ（Ｐｅｒｓｏｎａｌ　Ｄｉｇｉｔａｌ　Ａｓｓｉｓｔａｎｔ）などの携帯通信端末に本発明を適用しても同様の作用効果がある。
【００７１】
【発明の効果】
本発明の携帯通信端末によれば、誤動作防止状態を解除するには第１の端末本体と第２の端末本体を相対的に回転させて誤動作防止解除ボタンを露出させ、当該誤動作防止解除ボタンを押すだけの簡単な操作で誤動作防止状態を解除することができる。したがって、これまでの操作し難いスライドスイッチや一連のボタン操作の順序を覚える必要がなく、簡単な操作で誤動作防止状態を解除できる。また、携帯通信端末が閉じた状態では、誤動作防止解除ボタンは第２の端末本体に覆われた状態にあるので、閉じた状態では誤動作防止解除ボタンを押すことができないため、ポケットやカバンなどの中で誤って押されることはない。したがって、使用者の意図しない誤動作を回避することができる。
【００７２】
また、本発明の携帯通信端末によれば、誤動作防止解除ボタンを設けるのではなく、第１の端末本体と第２の端末本体を通常の開閉方向とは反対方向に所定のなす角度だけ僅かに開いたときに誤動作防止状態を解除するので、使用者は簡単且つすばやく誤動作防止状態を解除することができる。また、誤動作防止状態を解除するための専用のボタンを必要としないため、デザインの自由度を高めることができる。また、誤動作防止状態を解除した後は、自動的に基の閉じた状態に戻るため、次の操作に円滑に移行することができる。
【００７３】
また、本発明の方法によれば、操作し難いスライドスイッチを操作する必要もなく、また、一連のボタン操作の順序を覚えることなく、簡単な操作で誤動作防止状態を解除することができる。
【図面の簡単な説明】
【図１】本実施の形態の携帯電話機を閉じた状態を示す斜視図である。
【図２】本実施の形態の携帯電話機を開いた状態を示す斜視図である。
【図３】本実施の形態の携帯電話機を開く途中の状態を示す斜視図である。
【図４】本実施の形態の携帯電話機を僅かに開いて誤動作防止解除ボタンを露出させた状態を示す平面図である。
【図５】本実施の形態の携帯電話機に設けられたヒンジ機構の斜視図である。
【図６】本実施の形態の携帯電話機に設けられたヒンジ機構の分解斜視図である。
【図７】本実施の形態の携帯電話機を開いたときのヒンジ機構部分の断面図である。
【図８】本実施の形態の携帯電話機を閉じたときのヒンジ機構部分の断面図である。
【図９】本実施の形態の携帯電話機を閉じたときのヒンジ機構部分のコイルバネの状態を示す要部拡大平面図である。
【図１０】本実施の形態の携帯電話機を開く途中のヒンジ機構部分のコイルバネの状態を示す要部拡大平面図である。
【図１１】本実施の形態の携帯電話機のブロック図である。
【図１２】誤動作防止解除ボタンを押して誤動作防止状態を解除した後、ボタン押下げ回数に応じてモードを切り替える処理を示すフローチャートである。
【図１３】誤動作防止解除ボタンを押して誤動作防止状態を解除した後、ボタン押下げ時間に応じてモードを切り替える処理を示すフローチャートである。
【図１４】通常の開閉方向とは反対方向に僅かに回転させて誤動作防止状態を解除するようにした携帯電話機を開いた状態で示す斜視図である。
【図１５】携帯電話機を通常の開閉方向である一方向とは反対方向に開くことによって誤動作防止状態を解除するようにした携帯電話機の平面図である。
【図１６】携帯電話機を通常の開閉方向である一方向とは反対方向に開くことによって誤動作防止状態を解除した後、その動作回数に応じてモードを切り替える処理を示すフローチャートである。
【符号の説明】
１…携帯電話機
２…操作ボタン
３…第１の端末本体
４…表示部
５…第２の端末本体
６…ヒンジ機構
７…マイク
８…誤動作防止解除ボタン
１０…レシーバ
１２…第１の回転支持部材
１３…第２の回転支持部材
１４…コイルバネ
【図１】
2004128850.tif 000003
【図２】
2004128850.tif 000004
【図３】
2004128850.tif 000005
【図４】
2004128850.tif 000006
【図５】
2004128850.tif 000007
【図６】
2004128850.tif 000008
【図７】
2004128850.tif 000009
【図８】
2004128850.tif 000010
【図９】
2004128850.tif 000011
【図１０】
2004128850.tif 000012
【図１１】
2004128850.tif 000013
【図１２】
2004128850.tif 000014
【図１３】
2004128850.tif 000015
【図１４】
2004128850.tif 000016
【図１５】
2004128850.tif 000017
【図１６】
2004128850.tif 000018